(57)【要約】  【課題】貯水空間を好適に確保することができ、基本的な形態のボックスカルバートを好適に適用し得る地下貯水施設を提供する。  【解決手段】地下貯水施設を、周壁に囲まれた貯水空間内に前後及び左右方向にそれぞれ間隔をあけて配置された複数のボックスカルバートと、下面四隅に設けられた凹陥部を前後左右に隣り合う四つのボックスカルバートの頂版角部に係わり合わせて前記貯水空間上に蓋着された床版を少なくとも備えている構成とした。このようなものであれば、貯水空間を好適に確保することができ、基本的な形態のボックスカルバートを好適に適用し得る地下貯水施設を提供することができるものとなる。【選択図】図２
2018009328.tif 000002
【特許請求の範囲】
【請求項１】
周壁に囲まれた貯水空間内に前後及び左右方向にそれぞれ間隔をあけて配置された複数のボックスカルバートと、下面四隅に設けられた凹陥部を前後及び左右に隣り合う四つのボックスカルバートの頂版角部に係わり合わせて前記貯水空間の上に蓋着された床版を少なくとも備えている地下貯水施設。
【請求項２】
周壁に囲まれた貯水空間内に前後及び左右方向にそれぞれ間隔をあけて配置された複数のボックスカルバートと、これらボックスカルバートに支持されて前記貯水空間上に蓋着された複数種類の床版とを備えた地下貯水施設であって、
前記ボックスカルバートが、底版と、この底版の対向する側縁にそれぞれ立設された側版と、これら側版の上端間に設けられた頂版とを備えたものであり、
前記複数種類の床版には、下面四隅に前後及び左右に隣り合う四個のボックスカルバートの頂版角部が嵌合する凹陥部を備えた第一の床版と、左右に隣り合う前記第一の床版間に位置させて前後に隣接するボックスカルバート間に架設され下面の前後縁部に前記ボックスカルバートの頂版縁部が嵌合する凹陥部を備えた第二の床版とが含まれている地下貯水施設。
【請求項３】
左右に隣り合う第一の床版間、及び、前後に隣り合う第二の床版間にボックスカルバートにおける頂版の上面を底とする凹部が形成されている請求項２記載の地下貯水施設。
【請求項４】
前記周壁が、前後に対向配置された第一の周壁部と、左右に対向配置された第二の周壁部とを備えたものであり、前記第一の周壁部が左右方向に連接された端部用ボックスカルバートの側版を主体に構成されている請求項１、２又は３記載の地下貯水施設。
【請求項５】
周壁に囲まれた貯水空間内に少なくとも一方向にそれぞれ間隔をあけて配置された複数のボックスカルバートと、下面二隅に設けられた凹陥部を隣り合う二つのボックスカルバートの頂版角部に係わり合わせるとともに下面一辺に設けられた凹陥部を前記周壁の上端部に係わり合わせて前記貯水空間の上に蓋着された床版を少なくとも備えている地下貯水施設。
【請求項６】
周壁に囲まれた貯水空間内に少なくとも一方向にそれぞれ間隔をあけて配置された複数のボックスカルバートと、下面一辺に設けられた第一の凹陥部をボックスカルバートの頂版の縁部に係わり合わせるとともに下面一辺に設けられた第二の凹陥部を前記周壁の上端部に係わり合わせて前記貯水空間の上に蓋着された床版を少なくとも備えている地下貯水施設。
【発明の詳細な説明】
【技術分野】
【０００１】
本発明は、地下に設けられる地下貯水施設に関する。
【背景技術】
【０００２】
従来から、ゲリラ豪雨等の大雨による洪水や浸水被害を防ぐために、地下に一時的に雨水を貯溜させ得る雨水貯溜槽を設けることが行われている。また、雨水等を積極的に利用するために、地下に雨水等を貯溜することができる貯水槽を設けることが行われている。この種のものにおいては、ボックスカルバートを利用したものも存在している。
【０００３】
ところが、従来のものは、周壁に囲まれた貯水空間内に専用のボックスカルバートを複数個連続的に直列配置した構成を採るものとなっていた（例えば、特許文献１を参照）。
【０００４】
このような構成のものでは、周壁に囲まれた貯水空間内においてボックスカルバートが過多に配されてしまうことになるため、本来重視されるべき十分な貯水容量を損ねてしまうものとなるだけでなく、清掃作業時等においてボックスカルバートが障害物になってしまうという不具合が生じ得る。
【０００５】
しかも、従来の構成のものでは、床版を適切に配設させるために、ボックスカルバートに専用の床版受け部を設ける必要があった。このため、個別的な仕様の専用のボックスカルバートをその都度製作することが求められるものとなっていた。換言すれば、従来の雨水貯溜槽や貯水槽は、その資材として専用のボックスカルバートが適用されていたため、基本的な形態のボックスカルバートを共通的に適用し得る基本構造をなしていなかった。
【先行技術文献】
【特許文献】
【０００６】
【特許文献１】特開２００４−１６２４４５号公報
【発明の概要】
【発明が解決しようとする課題】
【０００７】
本発明は、以上のような事情に着目してなされたものであり、貯水空間を好適に確保することができ、基本的な形態のボックスカルバートを好適に適用し得る地下貯水施設を提供することにある。
【課題を解決するための手段】
【０００８】
すなわち、本発明は次の構成をなしている。
【０００９】
請求項１に記載の発明は、周壁に囲まれた貯水空間内に前後及び左右方向にそれぞれ間隔をあけて配置された複数のボックスカルバートと、下面四隅に設けられた凹陥部を前後及び左右に隣り合う四つのボックスカルバートの頂版角部に係わり合わせて前記貯水空間の上に蓋着された床版を少なくとも備えている地下貯水施設である。
【００１０】
請求項２に記載の発明は、周壁に囲まれた貯水空間内に前後及び左右方向にそれぞれ間隔をあけて配置された複数のボックスカルバートと、これらボックスカルバートに支持されて前記貯水空間上に蓋着された複数種類の床版とを備えた地下貯水施設であって、前記ボックスカルバートが、底版と、この底版の対向する側縁にそれぞれ立設された側版と、これら側版の上端間に設けられた頂版とを備えたものであり、前記複数種類の床版には、下面四隅に前後及び左右に隣り合う四個のボックスカルバートの頂版角部が嵌合する凹陥部を備えた第一の床版と、左右に隣り合う前記第一の床版間に位置させて前後に隣接するボックスカルバート間に架設され下面の前後縁部に前記ボックスカルバートの頂版縁部が嵌合する凹陥部を備えた第二の床版とが含まれている地下貯水施設である。
【００１１】
請求項３に記載の発明は、左右に隣り合う第一の床版間、及び、前後に隣り合う第二の床版間にボックスカルバートにおける頂版の上面を底とする凹部が形成されている請求項２記載の地下貯水施設である。
【００１２】
請求項４に記載の発明は、前記周壁が、前後に対向配置された第一の周壁部と、左右に対向配置された第二の周壁部とを備えたものであり、前記第一の周壁部が左右方向に連接された端部用ボックスカルバートの側版を主体に構成されている請求項１、２又は３記載の地下貯水施設である。
【００１３】
請求項５に記載の発明は、周壁に囲まれた貯水空間内に少なくとも一方向にそれぞれ間隔をあけて配置された複数のボックスカルバートと、下面二隅に設けられた凹陥部を隣り合う二つのボックスカルバートの頂版角部に係わり合わせるとともに下面一辺に設けられた凹陥部を前記周壁の上端部に係わり合わせて前記貯水空間の上に蓋着された床版を少なくとも備えている地下貯水施設である。
【００１４】
請求項６に記載の発明は、周壁に囲まれた貯水空間内に少なくとも一方向にそれぞれ間隔をあけて配置された複数のボックスカルバートと、下面一辺に設けられた第一の凹陥部をボックスカルバートの頂版の縁部に係わり合わせるとともに下面一辺に設けられた第二の凹陥部を前記周壁の上端部に係わり合わせて前記貯水空間の上に蓋着された床版を少なくとも備えている地下貯水施設である。
【発明の効果】
【００１５】
以上説明したように本発明によれば、貯水空間を好適に確保することができ、基本的な形態のボックスカルバートを好適に適用し得る地下貯水施設を提供することができるものとなる。
【図面の簡単な説明】
【００１６】
【図１】本発明の一実施形態を示す平面図。
【図２】同実施形態における斜視図。
【図３】図１におけるＸ−Ｘ線断面図。
【図４】図１におけるＹ−Ｙ線断面図。
【図５】図１におけるＶ−Ｖ線断面図。
【図６】図１におけるＷ−Ｗ線断面図。
【図７】同実施形態における第一の床版の底面図。
【図８】同実施形態における第二の床版の底面図。
【図９】同実施形態における第三の床版の底面図。
【図１０】同実施形態における第四の床版の底面図。
【図１１】同実施形態における分解斜視図。
【図１２】同実施形態における斜視図。
【図１３】他の実施形態を示す概略断面図。
【図１４】他の実施形態を示す概略断面図。
【図１５】他の実施形態を示す平面図。
【図１６】他の実施形態を示す平面図。
【発明を実施するための形態】
【００１７】
以下、本発明の一実施形態を、図１〜１２を参照して説明する。なお、この明細書では、説明の便宜上、図１の平面図において表示したＡの側を前としＢの側を後として説明する。
【００１８】
この実施形態は、本発明を、地下貯水施設である雨水貯溜槽Ｃに適用したものである。雨水貯溜槽Ｃは、豪雨時に河川や下水道に雨水が大量に流れ込んで発生する浸水等の被害を防止するため、一時的に雨水を貯水空間ｓｐに貯溜し得るものである。
【００１９】
雨水貯溜槽Ｃは、貯水空間ｓｐを囲繞する平面視において四角枠状をなす周壁Ｄと、この周壁Ｄに囲まれた貯水空間ｓｐ内において、前後、及び、左右方向にそれぞれ間隔をあけて配置された複数の中間用ボックスカルバート３と、中間用ボックスカルバート３に支持されて貯水空間ｓｐの上に蓋着された複数種類の床版たる第一、第二、第三、第四の床版Ｈ、Ｉ、Ｊ、Ｋと、周壁Ｄと中間用ボックスカルバート３との間における下端部空間、及び、隣り合う中間用ボックスカルバート３間における下端部空間を埋めるように設けられた現場打ち底版Ｌとを備えている。この実施形態では、雨水貯溜槽Ｃは、現場打ちコンクリートにより形成された略水平な上面を有したベースＭの上に据え付けられている。
【００２０】
周壁Ｄは、前後に対向配置された第一の周壁部たる外側の側版１２と、左右に対向配置された第二の周壁部２とを備えたものである。周壁Ｄを構成する第一の周壁部は、平面視において左右方向に延びるように複数連結された端部用ボックスカルバート１における外側の側版１２を主体に構成されている。
【００２１】
端部用ボックスカルバート１は、プレキャストコンクリート製のものであり、矩形板状をなす底版１１と、底版１１の対向する両側縁にそれぞれ立設された一方の側版たる外側の側版１２、及び、他方の側版たる内側の側版１３と、これら側版１２、１３の上端間に設けられた矩形板状をなす頂版１４とを備えている。外側の側版１２は、底版１１と同じ幅寸法をなしている。内側の側版１３には、一側部に切欠部１３ａが形成されている。この切欠部１３ａはそれ自体で通水用の開口として機能し得るものである。
【００２２】
なお、この実施形態では、隣接する端部用ボックスカルバート１の各切欠部１３ａ同士が接合するようになっている。そして、各切欠部１３ａ同士が接合した状態で、単一の通水口Ｅが形成されたものになっている。端部用ボックスカルバート１における頂版１４の上面は平面状の領域を主体に構成されている。
【００２３】
直列配置された複数の端部用ボックスカルバート１同士を連結する方法は、種々のものを採用することができる。一例としては、複数の端部用ボックスカルバート１同士の連結は、ＰＣ鋼棒（図示せず）を用いてプレストレスを付与する方法を採用することができる。他の例としては、ジョイントバーや高弾性接着剤を端部用ボックスカルバート１間に介在させて、隣接する端部用ボックスカルバート１同士を順次連結する方法を採用することができる。
【００２４】
第二の周壁部２は、現場打ちコンクリートにより構成されたものである。第二の周壁部２における前端部側の内面は、左右両端に位置する端部用ボックスカルバート１の開口端縁に密に接続している。第二の周壁部２における後端部側の内面は、左右両端に位置する端部用ボックスカルバート１の開口端縁に密に接続している。
【００２５】
貯水空間ｓｐは、雨水等が貯められる空間である。この実施形態では、貯水空間ｓｐは、第一の周壁部たる外側の側版１２、及び、第二の周壁部２を主体にして当該貯水空間ｓｐの側部が覆われており、端部用ボックスカルバート１の底版１１、中間用ボックスカルバート３の底版３１、及び、現場打ち底版Ｌを主体にして、当該貯水空間ｓｐの底部が覆われている。なお、貯水空間ｓｐは、第一、第二、第三、第四の床版Ｈ、Ｉ、Ｊ、Ｋ、端部用ボックスカルバート１の頂版１４、及び、中間用ボックスカルバート３の頂版３４によって覆い被されたものとなっている。
【００２６】
中間用ボックスカルバート３は、プレキャストコンクリート製のものであり、矩形板状をなす底版３１と、この底版３１の対向する両側縁にそれぞれ立設された側版３２と、これら側版３２の上端間に設けられた矩形板状をなす頂版３４とを備えたものである。中間用ボックスカルバート３の対をなす側版３２には、通水口３２ａが設けられている。中間用ボックスカルバート３における頂版３４の上面は、平面状の領域を主体に構成されている。
【００２７】
床版、すなわち、第一、第二、第三、第四の床版Ｈ、Ｉ、Ｊ、Ｋは、貯水空間ｓｐを上側から塞ぎ、貯水空間ｓｐ内に土砂等の異物が入り込むのを抑制する役割を担うものである。
【００２８】
第一の床版Ｈは、プレキャストコンクリート製のものであり、下面四隅に設けられた凹陥部Ｈ１を前後左右に隣り合う四つの中間用ボックスカルバート３の頂版角部３４ａに係わり合わせて貯水空間ｓｐ上に蓋着されたものである。第一の床版Ｈは、平面視において矩形状をなすものであり、下面側の四隅に前後、及び、左右に隣り合う四個の中間用ボックスカルバート３における頂版３４の角部３４ａが嵌合する凹陥部Ｈ１を備えている。換言すれば、第一の床版Ｈは、四カ所の隅部に設けられた凹陥部Ｈ１が中間用ボックスカルバート３の頂版角部３４ａに嵌合した状態で当該中間用ボックスカルバート３に支持されたいわゆる四点支持版である。
【００２９】
第一の床版Ｈの凹陥部Ｈ１は、中間用ボックスカルバート３に対して位置決め可能に係わり合う凹んだ部位である。凹陥部Ｈ１は、下方を向いた矩形状をなす凹陥部構成天面部Ｈ１１と、この凹陥部構成天面部Ｈ１１に対して略直交する方向を向く第一の凹陥部構成側面部Ｈ１２と、凹陥部構成天面部Ｈ１１に対して略直交する方向を向くとともに第一の凹陥部構成側面部Ｈ１２に対して略直交する方向を向く第二の凹陥部構成側面部Ｈ１３とを備えている。
【００３０】
第二の床版Ｉは、プレキャストコンクリート製のものであり、左右に隣り合う第一の床版Ｈ間に位置させて前後に隣接する中間用ボックスカルバート３間に架設されているとともに、前後に隣り合う端部用ボックスカルバート１と中間用ボックスカルバート３との間に架設されている。そして、第二の床版Ｉは、下面両側縁部に中間用ボックスカルバート３の頂版側縁部３４ｂ、又は、端部用ボックスカルバート１の頂版側縁部１４ａが嵌合する凹陥部Ｉ１を備えている。換言すれば、第二の床版Ｉは、対向する二辺が中間用ボックスカルバート３における頂版３４の頂版側縁部３４ｂ、又は、端部用ボックスカルバート１における頂版１４の頂版側縁部１４ａに支持された二辺支持版である。
【００３１】
第二の床版Ｉの凹陥部Ｉ１は、中間用ボックスカルバート３や端部用ボックスカルバート１に対して位置決め可能に係わり合う凹んだ部位である。凹陥部Ｉ１は、下方を向いた横長な矩形状をなす凹陥部構成天面部Ｉ１１と、この凹陥部構成天面部Ｉ１１に対して略直交する方向を向く凹陥部構成側面部Ｉ１２とを備えている。
【００３２】
第三の床版Ｊは、プレキャストコンクリート製のものであり、左右に隣り合う第二の床版Ｉ間に位置させて端部用ボックスカルバート１と中間用ボックスカルバート３との間に架設されている。そして、第三の床版Ｊは、下面における外側の縁部に端部用ボックスカルバート１の頂版側縁部１４ａが嵌合する凹陥部たる側凹陥部Ｊ３１を備えているとともに下面における内側の縁部の二隅に中間用ボックスカルバート３の頂版角部３４ａが嵌合する凹陥部たる隅凹陥部Ｊ３２を備えている。換言すれば、第三の床版Ｊは、一辺が端部用ボックスカルバート１における頂版１４の頂版側縁部１４ａに支持されるとともに二カ所の角部が中間用ボックスカルバート３の頂版角部３４ａに支持された一辺及び二点支持版である。
【００３３】
第三の床版Ｊの側凹陥部Ｊ３１は、端部用ボックスカルバート１に対して位置決め可能に係わり合う凹んだ部位である。側凹陥部Ｊ３１は、下方を向いた横長な矩形状をなす凹陥部構成天面部Ｊ３１１と、この凹陥部構成天面部Ｊ３１１に対して略直交する方向を向く凹陥部構成側面部Ｊ３１２とを備えている。
【００３４】
第三の床版Ｊの隅凹陥部Ｊ３２は、中間用ボックスカルバート３に対して位置決め可能に係わり合う凹んだ部位である。隅陥部Ｊ３２は、下方を向いた矩形状をなす凹陥部構成天面部Ｊ３２１と、この凹陥部構成天面部Ｊ３２１に対して略直交する方向を向く第一の凹陥部構成側面部Ｊ３２２と、凹陥部構成天面部Ｊ３２１に対して略直交する方向を向くとともに第一の凹陥部構成側面部Ｊ３２２に対して略直交する方向を向く第二の凹陥部構成側面部Ｊ３２３とを備えている。
【００３５】
第四の床版Ｋは、プレキャストコンクリート製のものであり、外側の端部を周壁Ｄにおける第二の周壁部２に係わり合わせたものである。第四の床版Ｋは、下面における外側の縁部に第二の周壁部２の上縁部が嵌合する凹陥部Ｋ１を備えているとともに下面における前側及び後側の縁部に端部用ボックスカルバート１の頂版側縁部１４ａ、又は、中間用ボックスカルバート３の頂版側縁部３４ｂが嵌合する凹陥部Ｋ１を備えている。換言すれば、第四の床版Ｋは、中間の一辺が第二の周壁部２に支持されるとともに、両側すなわち対向する二辺が中間用ボックスカルバート３における頂版３４の頂版側縁部３４ｂ、又は、端部用ボックスカルバート１における頂版１４の頂版側縁部１４ａに支持された三辺支持版である。
【００３６】
第四の床版Ｋの凹陥部Ｋ１は、矩形状をなす当該第四の床版Ｋにおける三辺に設けられており、共通の構造をなしている。すなわち、第四の床版Ｋの凹陥部Ｋ１は、第二の周壁部２、中間用ボックスカルバート３、及び、端部用ボックスカルバート１に対して位置決め可能に係わり合う凹んだ部位である。凹陥部Ｋ１は、下方を向いた横長な矩形状をなす凹陥部構成天面部Ｋ１１と、この凹陥部構成天面部Ｋ１１に対して略直交する方向を向く凹陥部構成側面部Ｋ１２とを備えている。
【００３７】
現場打ち底版Ｌは、端部用ボックスカルバート１の底版１１と第二の周壁部２における下部によって囲われた底部空間に設けられている。現場打ち底版Ｌは、底部空間において中間用ボックスカルバート３が配設されていない空間部分を埋めるべくコンクリートを打設することにより形成されたものである。
【００３８】
なお、現場打ち底版Ｌは、内部に図示しない主筋や配力筋が配設されている。また、図１２に示すように、現場打ち底版Ｌは、内部に端部用ボックスカルバート１の底版１１、又は、中間用ボックスカルバート３の底版３１から突設された複数本の鉄筋たるネジ切継手鉄筋ｔが配設されている。ネジ切継手鉄筋ｔは、端部用ボックスカルバート１、及び、中間用ボックスカルバート３が所定の位置に据え付けられた後に、各ボックスカルバート１、３の底版１１、３１に設けられた差込孔ｎにねじ込むことにより、各ボックスカルバート１、３に取り付けられている。（なお、図１２は、中間用ボックスカルバート３を例示している。）
以上の構成をなす雨水貯溜槽Ｃは、その上側が図示しない土砂等により覆われる。この実施形態における雨水貯溜槽Ｃは、左右に隣り合う第一の床版Ｈ間、及び、前後に隣り合う第二の床版Ｉ間に、中間用ボックスカルバート３における頂版３４の上面を底とする凹部Ｐが形成されている。雨水貯溜槽Ｃの上を覆う土砂は凹部Ｐに進入することにより、当該土砂に下方に向けて突出した部分が形成される。このため、この雨水貯溜槽Ｃの構成であれば、当該雨水貯溜槽Ｃの上を覆う土砂の前後及び左右方向への動きが凹部Ｐに伴うアンカー効果によって好適に抑制され得るものとなる。
【００３９】
以上説明したように、本実施形態に係る地下貯水施設たる雨水貯溜槽Ｃは、周壁Ｄに囲まれた貯水空間ｓｐ内に前後及び左右方向にそれぞれ間隔をあけて配置された複数の中間用ボックスカルバート３と、下面四隅に設けられた凹陥部Ｈ１を前後及び左右に隣り合う四つの中間用のボックスカルバート３の頂版角部３４ａに係わり合わせて貯水空間ｓｐの上に蓋着された第一の床版Ｈを少なくとも備えている。このため、貯水空間ｓｐを好適に確保することができるだけでなく、標準的なボックスカルバート（すなわち、基本的な形態のボックスカルバート）を好適に適用し得る雨水貯溜槽Ｃを提供することができるものとなる。
【００４０】
つまり、複数の中間用ボックスカルバート３が、それぞれ間隔をあけて配設されているため、貯水空間ｓｐを好適に確保し得るものとなる。より具体的に言えば、本実施形態における雨水貯溜槽Ｃであれば、内部に配設される中間用ボックスカルバート３の数が、従来の半分に減少するものとなるため、内部空間である貯水空間ｓｐが広く得られ得るものとなる。
【００４１】
また、本実施形態における雨水貯溜槽Ｃであれば、中間用ボックスカルバート３の設置個数が従来よりも低減するものとなるため、巨大な重量物である中間用ボックスカルバート３の運搬に要するトラック台数や施工時のクレーン稼働時間も有効に低減され得るものとなる。
【００４２】
さらに、本実施形態における雨水貯溜槽Ｃであれば、単位面積あたりの貯水容量が従来のものよりも増えるものとなるため、雨水貯溜槽Ｃ全体の大きさを小さくすることも可能となる。このため、雨水貯溜槽Ｃの設置に関連した土地取得費用や築造にかかる費用や労力も軽減され得るものとなっている。
【００４３】
また、本実施形態における雨水貯溜槽Ｃであれば、内部空間が広くなることから、作業者等において障害となる壁も半減することになるため、メンテナンス性も向上し得るものとなる。
【００４４】
本実施形態における雨水貯溜槽Ｃであれば、運搬車両や施工機械を低減させ得るという付随的効果を得ることができる。したがって、近隣住民への騒音問題や周辺環境への負荷も低減させ得るものとなっている。雨水貯溜槽Ｃにおける中間用ボックスカルバート３等の設置個数が、従来のものと比較して低減されるものとなるため、施工に要する日数（工期）を短縮することができ、労力やコストを短縮することができるものとなる。この雨水貯溜槽Ｃであれば、工場製造時も含めて全体的なコンクリート使用量を減らすことが可能となり、二酸化炭素排出に伴う環境負荷の低減が期待されるものとなる。
【００４５】
第一の床版Ｈの下面四隅に凹陥部Ｈ１を設けているため、中間用ボックスカルバート３の頂版３４に格別な加工を施すことなく（例えば、床版受けを設ける等の特殊な加工を施すことなく）、第一の床版Ｈと中間用ボックスカルバート３との相対位置を決定させることができるものとなる。換言すれば、この実施形態における雨水貯溜槽Ｃであれば、標準的な構造のボックスカルバートを無理なく中間用のボックスカルバート３として使用することができるものとなり、資材の共通化に資するものとなっている。
【００４６】
このようにすることで、既存の型枠を有効に利用することができ、ボックスカルバートの製造にかかる労力や費用も低減することが可能となる。また、例えば、中間用ボックスカルバート３と第一の床版Ｈとは、当該第一の床版Ｈの下面側に設けられた凹陥部Ｈ１により相対位置が決定されるため、地震動によって相対位置がずれてしまうことが好適に抑制され得るものとなっている。（他の床版Ｉ、Ｊ、Ｋや端部用ボックスカルバート１や第二の周壁部２との相対関係において同様である。）
より具体的には、雨水貯溜槽Ｃは、周壁Ｄに囲まれた貯水空間ｓｐ内に前後及び左右方向にそれぞれ間隔をあけて配置された複数のボックスカルバートたる中間用ボックスカルバート３と、中間用ボックスカルバート３に支持されて貯水空間ｓｐ上に蓋着された複数種類の床版、すなわち、第一、第二、第三、第四の床版Ｈ、Ｉ、Ｊ、Ｋを備えている。そして、中間用ボックスカルバート３が、底版３１と、この底版３１の対向する側縁にそれぞれ立設された側版３２と、これら側版３２の上端間に設けられた頂版３４とを備えている。端部用ボックスカルバート１が、底版１１と、この底版１１の対向する側縁にそれぞれ立設された側版１２、１３と、これら側版１２、１３の上端間に設けられた頂版１４とを備えたものである。第一の床版Ｈは、下面四隅に前後及び左右に隣り合う四個の中間用ボックスカルバート３の頂版角部３４ａが嵌合する凹陥部Ｈ１を備えている。第二の床版Ｉは、左右に隣り合う第一の床版Ｈ間に位置させて前後に隣接する中間用ボックスカルバート３間に架設され下面の前後縁部に中間用ボックスカルバート３の頂版側縁部３４ｂが嵌合する凹陥部Ｉ１を備えている。
【００４７】
このようなものであれば、凹陥部Ｈ１を備えた第一の床版Ｈが中間用ボックスカルバート３に支持されて好適に貯水空間ｓｐ上に蓋着されるものとなり、凹陥部Ｉ１を備えた第二の床版Ｉが第一の床版Ｈ間に配されるとともに中間用ボックスカルバート３に支持されて好適に貯水空間ｓｐ上に蓋着されるものとなる。
【００４８】
左右に隣り合う第一の床版Ｈ間、及び、前後に隣り合う第二の床版Ｉ間に中間用ボックスカルバート３における頂版３４の上面を底とする凹部Ｐが形成されている。このため、凹部Ｐに配設された土砂がいわゆるアンカー機能を発揮し得るものとなり、凹部Ｐ周辺の土砂層が雨水貯溜槽Ｃに対して前後及び左右方向に動くことを好適に抑制し得るものとなっている。
【００４９】
周壁Ｄが、前後に対向配置された第一の周壁部たる外側の側版１２と、左右に対向配置された第二の周壁部２とを備えたものである。すなわち、第一の周壁部は、左右方向に連接された端部用ボックスカルバート１の外側の側版１２を主体に構成されている。このため、周壁Ｄを、端部用ボックスカルバート１を利用して効率よく構築し得るものとなっている。
【００５０】
なお、本発明は、以上に詳述した実施形態に限られるものではない。
【００５１】
地下貯水施設は、上述した実施形態に示すように、地下に一時的に雨水を貯溜させ得る雨水貯溜槽に限られるものではない。すなわち、地下貯水施設は、地下に一定の貯水ができるものであればどのようなものであってもよい。雨水貯溜槽とは異なる他の地下貯水施設としては、地下に雨水を貯溜することができる貯水槽等が考えられる。
【００５２】
前後左右は特定の便宜上に使用した表現であり、前後を左右に置き換えるとともに左右を前後に置き換えたものとしてもよい。
【００５３】
床版のボックスカルバートに対する一体化、すなわち、第一、第二、第三、第四の床版と、端部用ボックスカルバート又は中間用ボックスカルバートとの一体化を図るために種々の連結手段を設けるようにしてもよい。
【００５４】
＜図１３の説明＞
ここで、図１３では、中間用ボックスカルバート３と第一の床版Ｈとの一体化を図るための連結手段Ｒの一例を示している。この連結手段Ｒは、中間用ボックスカルバート３から立設させた接合材たる異形鉄筋ｒ１と、第一の床版Ｈに設けられた異形鉄筋配設用の孔ｒ２と、この孔ｒ２に異形鉄筋ｒ１が配設された状態で当該孔ｒ２に充填された充填材たる無収縮モルタルｒ３とを備えている。このようなものであれば、中間用ボックスカルバート３と第一の床版Ｈとの一体化が容易に実現できるものとなり、床版Ｈの浮き上がりの発生が好適に抑制され得るものとなる。
【００５５】
床版のボックスカルバートに対する仮位置決め、すなわち、第一、第二、第三、第四の床版と、端部用ボックスカルバート又は中間用ボックスカルバートとの仮位置決めを行うために、種々の仮位置決め手段を設けるようにしてもよい。
【００５６】
＜図１４の説明＞
ここで、図１４では、中間用ボックスカルバート３と第一の床版Ｈとの仮位置決めを計るための仮位置決め手段Ｓの一例を示している。この仮位置決め手段Ｓは、中間用ボックスカルバート３から上向きに突設させた山型形状をなす位置決め凸部ｓ１と、第一の床版Ｈに設けられたすり鉢状の凹み部ｓ２とを備えている。なお、位置決め凸部ｓ１は、中間用ボックスカルバート３に装着されたガイドピンの頭部によって構成されている。このようなものであれば、中間用ボックスカルバート３と第一の床版Ｈとの仮位置決めが好適に行えるものとなり、施工の迅速化に寄与し得るものとなる。
【００５７】
周壁の構成は、種々の構成を採用することができるのはもちろんのことである。例えば、周壁のすべてを現場打ちコンクリートにより設けるようにしてもよいし、周壁のすべてをプレキャストコンクリート部材により設けるようにしてもよい。
【００５８】
底版の構成は、種々の構成を採用することができるのはもちろんのことである。例えば、底版のすべてをプレキャストコンクリート部材により設けるようにしてもよい。
【００５９】
地下貯水施設の平面視における形状は、上述した実施形態に示したような矩形状のものに限られるものではない。例えば、図１５に示すように、地下貯水施設を平面視において台形状に構成してもよいし、図１６に示すように、地下貯水施設を平面視においてＴ字状（凸形状）に構成してもよい。なお、図１５に示す地下貯水施設において、周縁部に配されたボックスカルバート（例えば、符号４で示すもの）は、必要に応じて、両側版に通水口を有しないものが採用されている。その他、地下貯水施設の平面視における形状は、具体的に設置される場所の条件等に応じて、適宜の形状に柔軟に設定し得るものである。
【００６０】
ボックスカルバートは、種々の形状のものを適用することができるものであり、上述した実施形態に示された形状のものに限定されるものではない。
【００６１】
床版は、種々の形状のものを適用することができるものであり、上述した実施形態に示された形状のものに限定されるものではない。
【００６２】
その他、各部の具体的構成についても上記実施形態に限られるものではなく、本発明の趣旨を逸脱しない範囲で種々変形が可能である。
【符号の説明】
【００６３】
１…端部用ボックスカルバート（ボックスカルバート）
３…中間用ボックスカルバート（ボックスカルバート）
Ｃ…雨水貯溜槽（地下貯水施設）
Ｄ…周壁
Ｈ…第一の床版（床版）
Ｉ…第二の床版（床版）
ｓｐ…貯水空間
【図１】
2018009328.tif 000003
【図２】
2018009328.tif 000004
【図３】
2018009328.tif 000005
【図４】
2018009328.tif 000006
【図５】
2018009328.tif 000007
【図６】
2018009328.tif 000008
【図７】
2018009328.tif 000009
【図８】
2018009328.tif 000010
【図９】
2018009328.tif 000011
【図１０】
2018009328.tif 000012
【図１１】
2018009328.tif 000013
【図１２】
2018009328.tif 000014
【図１３】
2018009328.tif 000015
【図１４】
2018009328.tif 000016
【図１５】
2018009328.tif 000017
【図１６】
2018009328.tif 000018
【手続補正書】
【提出日】平成29年8月8日(2017.8.8)
【手続補正１】
【補正対象書類名】特許請求の範囲
【補正対象項目名】全文
【補正方法】変更
【補正の内容】
【特許請求の範囲】
【請求項１】
周壁に囲まれた貯水空間内に前後及び左右方向にそれぞれ間隔をあけて配置された複数の中間用ボックスカルバートと、これら中間用ボックスカルバートに支持されて前記貯水空間上に蓋着された複数種類の床版とを備えた地下貯水施設であって、
前記中間用ボックスカルバートが、矩形板状をなす底版と、この底版の対向する側縁にそれぞれ立設された側版と、これら側版の上端間に設けられた矩形板状をなすとともに上面が平面状に構成された頂版とを備えたものであり、
前記複数種類の床版には、平面視において矩形状をなし下面四隅に前後及び左右に隣り合う四個の中間用ボックスカルバートの頂版角部が嵌合する凹陥部を備えた第一の床版と、平面視において矩形状をなし左右に隣り合う前記第一の床版間に位置させて前後に隣接する中間用ボックスカルバート間に架設され下面の前後縁部に前記中間用ボックスカルバートの頂版縁部が嵌合する凹陥部を備えた第二の床版とが含まれているものであり、
前記周壁が、前後に対向配置された第一の周壁部と、左右に対向配置された第二の周壁部とを備えたものであり、前記第一の周壁部が左右方向に連接された端部用ボックスカルバートの側版により構成されているものであり、
前記中間用ボックスカルバートと前記第一の床版との一体化を図るための連結手段を備えており、この連結手段が前記中間用ボックスカルバートから立設させた接合材と、前記第一の床版に設けられた前記接合材の配設用の孔と、この孔に前記接合材が配設された状態で前記孔に充填された充填材とを備えている地下貯水施設。
【請求項２】
平面視において左右に隣り合う第一の床版間、及び、平面視において前後に隣り合う第二の床版間に中間用ボックスカルバートにおける頂版の上面を底とする凹部が形成されている請求項１記載の地下貯水施設。
【手続補正２】
【補正対象書類名】明細書
【補正対象項目名】０００９
【補正方法】変更
【補正の内容】
【０００９】
請求項１に記載の発明は、周壁に囲まれた貯水空間内に前後及び左右方向にそれぞれ間隔をあけて配置された複数の中間用ボックスカルバートと、これら中間用ボックスカルバートに支持されて前記貯水空間上に蓋着された複数種類の床版とを備えた地下貯水施設であって、前記中間用ボックスカルバートが、矩形板状をなす底版と、この底版の対向する側縁にそれぞれ立設された側版と、これら側版の上端間に設けられた矩形板状をなすとともに上面が平面状に構成された頂版とを備えたものであり、前記複数種類の床版には、平面視において矩形状をなし下面四隅に前後及び左右に隣り合う四個の中間用ボックスカルバートの頂版角部が嵌合する凹陥部を備えた第一の床版と、平面視において矩形状をなし左右に隣り合う前記第一の床版間に位置させて前後に隣接する中間用ボックスカルバート間に架設され下面の前後縁部に前記中間用ボックスカルバートの頂版縁部が嵌合する凹陥部を備えた第二の床版とが含まれているものであり、前記周壁が、前後に対向配置された第一の周壁部と、左右に対向配置された第二の周壁部とを備えたものであり、前記第一の周壁部が左右方向に連接された端部用ボックスカルバートの側版により構成されているものであり、前記中間用ボックスカルバートと前記第一の床版との一体化を図るための連結手段を備えており、この連結手段が前記中間用ボックスカルバートから立設させた接合材と、前記第一の床版に設けられた前記接合材の配設用の孔と、この孔に前記接合材が配設された状態で前記孔に充填された充填材とを備えている地下貯水施設である。
【手続補正３】
【補正対象書類名】明細書
【補正対象項目名】００１０
【補正方法】変更
【補正の内容】
【００１０】
請求項２に記載の発明は、平面視において左右に隣り合う第一の床版間、及び、平面視において前後に隣り合う第二の床版間に中間用ボックスカルバートにおける頂版の上面を底とする凹部が形成されている請求項１記載の地下貯水施設である。
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】